(57)【要約】【課題】メモ用紙等として使用可能な紙片から容易に封筒を形成することのできる封筒冊子を提供する。【解決手段】封筒冊子１は、複数枚の紙片２の上端側がのり付け等によって綴じされて構成されている。紙片２の上端付近には、ミシン目からなる切り取り線３が形成されており、切り取り線３に沿って切ることにより、紙片２を一枚一枚、封筒冊子１から取り外し可能になっている。紙片２には、ミシン目４と、折り筋５とが形成されており、封筒冊子１から紙片２を取り外し後、ミシン目４及び折り筋５に沿って折ることにより、封筒が形成される。【選択図】図１
2012131520.tif 000002
【特許請求の範囲】
【請求項１】
複数枚の紙片を綴じて形成された封筒冊子であって、
前記複数枚の紙片は、前記封筒冊子から一枚一枚取り外し可能であり、
前記紙片にはそれぞれ、折り目部が形成されており、前記封筒冊子から前記紙片を取り外し後、前記折り目部に沿って折り畳むことによって封筒が形成される封筒冊子。
【発明の詳細な説明】
【技術分野】
【０００１】
この発明は、封筒冊子に係り、特に、複数枚の紙片が切り離し可能に綴じられており、各紙片をメモ用紙等として使用可能であると共に切り離し後に折り畳んで封筒を形成可能な封筒冊子に関する。
【背景技術】
【０００２】
１枚の矩形の紙片を折り畳むことで形成される封筒が、特許文献１に記載されている。紙片に文章を書き、それを折り畳んで封筒を形成すれば、受け取った人はその封筒を開いて紙片に書かれている文章を読むことができるので、便箋が不要となり、紙の節約になる。
【先行技術文献】
【特許文献】
【０００３】
【特許文献１】実開平７−４０６１号公報
【発明の概要】
【発明が解決しようとする課題】
【０００４】
しかしながら、折り紙が得意な人にとっては、どんな紙片からでも封筒を形成することは容易であるものの、一般的には、単なるメモ用紙等を折り畳んで封筒を形成することは難しいといった問題点があった。
【０００５】
この発明はこのような問題点を解決するためになされたもので、メモ用紙等として使用可能な紙片から容易に封筒を形成することのできる封筒冊子を提供することを目的とする。
【課題を解決するための手段】
【０００６】
この発明に係る封筒冊子は、複数枚の紙片を綴じて形成された封筒冊子であって、複数枚の紙片は、封筒冊子から一枚一枚取り外し可能であり、紙片にはそれぞれ、折り目部が形成されており、封筒冊子から紙片を取り外し後、折り目部に沿って折り畳むことによって封筒が形成される。
【発明の効果】
【０００７】
この発明よれば、折り目部が形成された紙片を封筒冊子から取り外し、折り目部に沿って折り畳むことによって封筒が形成されるので、メモ用紙等として使用可能な紙片から容易に封筒を形成することができる。
【図面の簡単な説明】
【０００８】
【図１】この発明の実施の形態に係る封筒冊子の斜視図である。
【図２】この実施の形態に係る封筒冊子に綴じられた紙片の平面図である。
【図３】この実施の形態に係る封筒冊子に綴じられた紙片から封筒を形成する方法を示す図である。
【発明を実施するための形態】
【０００９】
以下、この発明の実施の形態を添付図面に基づいて説明する。
図１に示されるように、封筒冊子１は、複数枚の紙片２の上端側をのり付け等によって綴じることにより構成されている。紙片２の綴じられた部分のやや下方の位置には、ミシン目からなる切り取り線３が紙片２の横方向に延びるように形成されており、切り取り線３に沿って切ることにより、紙片２を一枚一枚、封筒冊子１から取り外し可能になっている。
【００１０】
紙片２には、ミシン目４と、折り筋５とが形成されている。ここで、ミシン目４及び折り筋５は、折り目部を構成する。尚、紙片２は様々な種類の紙であってもよいが、後述する手順によって封筒を形成したときに紙片２に書かれた文章等や封筒内に入れたもの等が透けないように、クラフト紙を使用するのが好ましい。ただし、この目的であれば、任意の種類の紙であっても、紙片２の裏側に模様を印刷したり、濃い色を付けたりしてもよい。
【００１１】
切り取り線３から切り離された後の紙片２は、図２に示されるように、下端部２ａと、上端部２ｂと、左側端部２ｃと、右側端部２ｄとによって画定された矩形形状を有している。折り筋５（図１参照）は、下端部２ａからやや上方の位置に横方向に延びるように形成された下方横折り筋１１と、紙片２の縦方向に関する中央部付近に横方向に延びるように形成された中央横折り筋１２と、左側端部２ｃからやや右側の位置に縦方向に延びるように形成された左側縦折り筋１３と、右側端部２ｄからやや左側の位置に縦方向に延びるように形成された右側縦折り筋１４と、中央横折り筋１２に対してやや上方の左側縦折り筋１３上の位置１３ａと左側縦折り筋１３及び右側縦折り筋１４の間の上端部２ｂ上の位置２ｂ１とを結ぶように形成された差し込み部形成左側折り筋１５と、中央横折り筋１２に対してやや上方の右側縦折り筋１４上の位置１４ａと左側縦折り筋１３及び右側縦折り筋１４の間の上端部２ｂ上の位置２ｂ２とを結ぶように形成された差し込み部形成右側折り筋１６とからなる。
【００１２】
ミシン目４（図１参照）は、下方横折り筋１１及び左側縦折り筋１３の交点１７から下端部２ａに向けて左側縦折り筋１３を延長するように形成された左側縦ミシン目２１と、交点１７から下方横折り筋１１に対して鋭角をなすとともに互いに対称に形成された左側下方三角部形成ミシン目２２，２３と、中央横折り筋１２及び左側縦折り筋１３の交点１８から左側端部２ｃに向けて中央横折り筋１２を延長するように形成された左側中央横ミシン目２４と、交点１８から左側中央横ミシン目２４に対して鋭角をなすとともに互いに対称に形成された左側中央三角部形成ミシン目２５，２６と、位置１３ａから左側縦折り筋１３に関して差し込み部形成左側折り筋１５と対称になるように形成された差し込み部形成左側ミシン目２７とを備えている。ミシン目４はまた、紙片２の右側端部２ｄ側にこれらと対称となるように同様の形状のミシン目、すなわち、右側縦ミシン目３１と、右側下方三角部形成ミシン目３２，３３と、右側中央横ミシン目３４と、右側中央三角部形成ミシン目３５，３６と、差し込み部形成右側ミシン目３７とを備えている。
【００１３】
次に、図３に基づいて、封筒冊子１から取り外された１枚の紙片２から封筒を形成する手順を説明する。
まず、紙片２（図３（ａ））を、下方横折り筋１１に沿って折る（図３（ｂ））。次に、左側下方三角部形成ミシン目２２，２３に沿って折ることにより、左側下方三角部２８を形成する。同様に、右側下方三角部形成ミシン目３２，３３に沿って折ることにより、右側下方三角部２９を形成する（図３（ｃ））。次に、左側縦折り筋１３及び右側縦折り筋１４に沿って折る（図３（ｄ））。このとき、左側縦折り筋１３に沿って折ると、差し込み部形成左側ミシン目２７が差し込み部形成左側折り筋１５に重なると共に、差し込み部形成右側ミシン目３７が差し込み部形成右側折り筋１６に重なる。この状態で、差し込み部形成左側折り筋１５及び差し込み部形成右側折り筋１６に沿って折ると、紙片２の上端部２ｂに向かって幅が狭くなるような形状が形成され、この部分を差し込み部４０とする（図３（ｅ））。最後に、差し込み部４０を、下方横折り筋１１に沿って折られた部分に挿入することにより、封筒５０が形成される（図３（ｆ））。
【００１４】
封筒５０は、差し込み部４０を、下方横折り筋１１に沿って折られた部分に挿入することにより閉じることができるので、のりやシール等が不要である。また、封筒５０を受け取った人も容易に開封することができ、封筒５０をさらに紙片２の形態に広げれば、保管もしやすくなる。さらに、紙片２を封筒冊子１から取り外すことと紙片２を折り畳んで封筒５０を形成することとにおいて、はさみ等の使用も不要である。しかも、紙片２を折る手順も、ミシン目４や折り筋５に沿って折ればよいので、特別な知識や技術を必要とせずに封筒５０を形成することができる。
【００１５】
このように、ミシン目４及び折り筋５が形成された紙片２を封筒冊子１から取り外し、ミシン目４及び折り筋５に沿って折り畳むことによって封筒５０が形成されるので、メモ用紙等として使用可能な紙片２から容易に封筒５０を形成することができる。
【００１６】
この実施の形態において紙片２に形成されたミシン目４及び折り筋５の形状は例示に過ぎない。紙片から封筒を形成する折り方は無数にあり、その折り方に応じて封筒の形態も異なる。従って、紙片２には、どのようなミシン目４及び折り筋５が形成されていてもよい。また、折り目部として、ミシン目４及び折り筋５の代わりに直線を描いてもよい。これにより、紙片２に凸凹がなくなり、純粋なメモ用紙としても使用し易くなる。尚、ミシン目４及び折り筋５や直線だけでは折り方が分からない人のために、ミシン目４及び折り筋５や直線の近くに折る順番を記載してもよい。
【符号の説明】
【００１７】
１  封筒冊子、２  紙片、４  ミシン目（折り目部）、５  折り筋（折り目部）、５０  封筒。
【図１】
2012131520.tif 000003
【図２】
2012131520.tif 000004
【図３】
2012131520.tif 000005